(57)【要約】      （修正有）【課題】ヒップアップ効果は勿論のこと、少ない生地の重なりで、腹部を横方向に充分強く押え、縦方向の伸びを阻害せず、股部のムレも軽減できるガードルを提供する。【解決手段】スパンデックス等よりなる伸縮性の身生地１の腹部裏面に腹部を覆うように左右両側が外向き円弧形に膨出形成された縦方向にのみ伸縮性を有する内外２枚のメッシュ生地よりなる腹当て布２、３を止着し、腹当て布の下辺部はそれぞれ斜めに裁断され、互いに斜めに交差し、身生地に形成された股布５の正面上端部からは若干離すようにして、身生地には縫着することなく開放され、身生地の臀部の二つの膨らみの下側部分から前方へ斜め上方に向けてヒップアップ用の帯状のパワーネット８が身生地に縫着され、また身生地の後側縦中心上端部からは前方へ斜め下方に向けて腹部押さえ用の帯状のパワーネット生地９が身生地に縫着され、両パワーネット生地の先端部は腹当て布の左右両側縁の身生地への縫着部の中間部又はほぼ全体に互いに重合するように縫着されてなる。【選択図】図２
0003201359.tif 000002
【実用新案登録請求の範囲】
【請求項１】
スパンデックス等よりなる伸縮性の身生地の腹部裏面に腹部を覆うように左右両側が外向き円弧形に膨出形成された縦方向にのみ伸縮性を有する内外２枚のメッシュ生地よりなる腹当て布を止着し、上記２枚の腹当て布の下辺部はそれぞれ斜めに裁断され、互いに斜めに交差するようにし、身生地に形成された股布の正面上端部からは若干離すようして、身生地には縫着することなく開放され、身生地の臀部の二つの膨らみの下側部分から前方へ斜め上方に向けてヒップアップ用の帯状のパワーネットが身生地に縫着され、また身生地の後側縦中心上端部からは前方へ斜め下方に向けて腹部押さえ用の帯状のパワーネット生地が身生地に縫着され、上記ヒップアップ用のパワーネット生地及び腹部押さえ用のパワーネット生地の先端部は腹当て布の左右両側縁の身生地への縫着部の中間部又はそのほぼ全体に互いに重合するようにして縫着されてなることを特徴とするガードル。
【請求項２】
ガードルの上周縁が腰のくびれ部分に来るようにしたレギュラータイプのガードルにあっては、身生地上端縁のフロント部には所定長さだけ残して、それ以外の部分にはウエストテープを縫着し、この身生地上端のフロント部は内側へ折返し、その身生地の折返し端に前記２枚の腹当て布の上縁部を縫着してなる請求項１記載のガードル。
【請求項３】
ガードル上周縁が胸下まで来るようにしたハイウエストタイプのガードルにあっては、腰のくびれ部分より上方内側には所定の上下幅のパワーネット生地を一周するように身生地上周縁に縫着延長し、その外側には伸縮性のレース生地が縫着され、上方に延設された上記パワーネット上端内周縁にはウエストテープが縫着され、上記パワーネット下端縁は身生地上周縁に縫着すると共に、前記フロント部の内外両腹当て布の上端縁も身生地上周縁に縫着してなる請求項１記載のガードル。
【請求項４】
前記身生地の後側縦中心上端部の腹部押さえ用のパワーネットの開始端の外側には所定長さの縦方向にのみ伸縮性を有するメッシュ生地の後側当て布１０を縫着してなる請求項１〜３のいずれかに記載のガードル。
【考案の詳細な説明】
【技術分野】
【０００１】
本考案は、腹部を強く効果的に押さえて縦方向（上下方向）への伸びを阻害せず、体にフィットして、腰の線を美しく補整することができるガードルに関するものである。
【背景技術】
【０００２】
従来のガードルは、もっぱら身生地の内側の所定個所に部分的に、例えば臀部の二つの膨らみの下側部分や下腹部分に伸縮力の強いパワーネットを配置縫着して、ヒップアップ効果や下腹部の膨らみを押えるようにしている。
【０００３】
しかしながら、従来のガードルは、パワーネットを多用するため、着用するときに窮屈で着脱し難いという問題があった。
【０００４】
そこで、例えば特許第３８１１９０４号公報記載のガードルのように、スパンデックス等の伸縮性の身生地よりも伸びの少ないトリコット等を使用した略台形の２枚の腹部裏当て布を互いにたすき掛け状に交差重合させ、該裏当て布の斜め上方に伸びて互いに斜めに交差する上縁部はウエストテープに縫着していないため、ウエスト部分を広く開けることができるから、着用の際の窮屈さは解消されている。
【０００５】
しかしながら、この従来技術は縫製工程が複雑で、腹部の縦方向伸びが充分でなかった。
【先行技術文献】
【特許文献】
【０００６】
【特許文献１】特許第３８１１９０４号公報
【考案の概要】
【考案が解決しようとする課題】
【０００７】
本考案は、ヒップアップ効果は勿論のこと、少ない生地の重なりで、腹部を横方向（左右方向）に充分強く押える効果を発揮させることができ、着用したときに、縦方向（上下方向）の伸びを阻害せず、体にフィットすると共に、股部のムレの軽減効果も有するガードルを提案するものである。
【課題を解決するための手段】
【０００８】
本考案のガードルでは、スパンデックス等よりなる伸縮性の身生地の腹部裏面に腹部を覆うように左右両側が外向き円弧形に膨出形成された内外２枚のメッシュ生地よりなる腹当て布を止着し、該腹当て布はそれぞれ縦方向（上下方向）にのみ伸縮性を有している。
【０００９】
また、上記内外２枚の腹当て布の下辺部はそれぞれ斜めに裁断され、互いに斜めに交差するようにし、身生地に形成された股布の正面上端部からは若干離すようして、身生地には縫着することなく開放してある。
【００１０】
しかして、ガードル上周縁部が腰のくびれ部分に来るようにしたレギュラータイプのガードルでは、身生地上端縁のフロント部には所定長さだけ残して、それ以外の部分にはウエストテープを縫着し、この身生地上端のフロント部は内側へ折返し、その身生地の折返し端に両腹当て布の上縁部を縫着する。
【００１１】
また、ガードル上周縁が胸下まで来るようにしたハイウエストタイプのガードルの場合には、腰のくびれ部分より上方内側には所定の上下幅のパワーネット生地を一周するように身生地上周縁に縫着延長し、その外側には伸縮性のレース生地が縫着され、上方に延設された上記パワーネット上端内周縁にはウエストテープが縫着され、上記パワーネット下端縁は身生地上周縁に縫着すると共に、前記フロント部の内外両腹当て布の上端縁も身生地上周縁に縫着する。
【００１２】
そして、身生地の臀部の二つの膨らみの下側部分から上記両腹当て布の左右両側縁部の中間部（又はほぼ全体）に向ってヒップアップ用の帯状のパワーネットを身生地に縫着し、その先端部は上記腹当て布の左右両側縁部の身生地への縫着部にそれぞれ縫着する。
【００１３】
一方、身生地の後側縦中心上端部からはそれぞれ所定幅の腹部押さえ用の帯状のパワーネットを後方から前方へ向かってやや斜め下方に向って伸びてその上下を身生地に縫着すると共に、その両先端部は上記両腹当て布の左右両側縁部の上端から中間部（又はほぼ全体）にかけて腹当て布の左右両側縁部の身生地への縫着部に縫着する。
【００１４】
また、上記腹部押さえ用のパワーネット両先端部と上記ヒップアップ用のパワーネット両先端部とはそれぞれ互いに全部又は部分的に重合するようにして、着用したときに、上記二重の両腹当て布の左右両側縁部を横方向へ引っ張るような力が生じて、腹当て布による腹部への押さえを充分強くすることができるように構成されている。
【００１５】
なお、身生地の後側縦中心上端部の腹部押さえ用のパワーネットの開始端の外側には、前記腹当て布と同様に、縦方向（上下方向）にのみ伸縮性を有しているメッシュ生地を該パワーネットと同幅で身生地に横方向に所定長さ縫着するようにしてもよい。これにより、腹部押さえ用のパワーネットがこのメッシュ生地の長さ分だけ短くなるので、上記腹当て布の腹部の押さえ力がそれだけ強くなる。
【考案の効果】
【００１６】
このように、本考案に係るガードルによれば、ヒップアップ効果は勿論のこと、身生地の腹部裏面に腹部を覆うように左右両側が外向き円弧形に膨出形成された縦方向（上下方向）にのみ伸縮性を有する内外２枚のメッシュ生地よりなる腹当て布を身生地に止着し、該腹当て布の左右両側縁の身生地への縫着部のほぼ全長又は中間部に対しては、それぞれ身生地の臀部の二つの膨らみの下側部分から斜め上方に向けてヒップアップ用の帯状のパワーネットが縫着され、また身生地の後側縦中心上端部からは斜め下方に向けて腹部押さえ用のパワーネット生地が縫着されているので、これを着用したときに、この２種類のパワーネット生地が左右方向には伸縮性のない２枚の腹当て布を左右から引っ張り合うから、該腹当て布が腹部を強く押さえることとなり、臀部と腹部の補整効果が発揮される。
【００１７】
また、ガードル上周縁部が腰のくびれ部分に来るようにしたレギュラータイプのガードルでは、２枚の腹当て布の上縁部は、ウエストテープのない身生地上端のフロント部の身生地折返し部下端に縫着されており、ヒップアップ用のパワーネットと腹部押さえ用のパワーネットの上下左右方向への伸縮と、内外両腹当て布の上下方向の伸縮と相まって、着脱が容易となる。
【００１８】
また、ガードル上周縁が腰のくびれ部分より上方に来るようにしたハイウエストタイプのガードルの場合には、身生地上側に縫着した上下左右に伸縮するパワーネットと、ならびにヒップアップ用のパワーネットと腹部押さえ用のパワーネットの上下左右方向への伸縮と、内外両腹当て布の上下方向の伸縮と相まって、これまた着脱が容易となるのである。
【００１９】
しかも、２枚の腹当て布の下縁部は、それぞれ斜めに裁断されて互いに斜めに交差するようにし、かつ股布上端部からは若干離すようして、身生地には縫着することなく開放されているので、股布の上側には身生地１枚だけの部分が存するから、着用したときの股部のムレを軽減することができる。
【００２０】
また、身生地の後側縦中心上端部の腹部押さえ用のパワーネットの開始端の外側には、前記腹当て布と同質の上下方向にのみ伸縮性を有しているメッシュ生地の後側当て布を上記パワーネットを被覆するようにして所定長さで身生地に縫着する場合には、腹部押さえ用のパワーネットがこのメッシュ生地の長さ分だけ短くなるので、上記腹当て布の腹部への加圧力がその分さらに強くなる。
【図面の簡単な説明】
【００２１】
【図１】本考案をロングガードルに適用した場合の正面説明図である。
【図２】図１のロングガードルを裏返した状態を示す正面説明図である。
【図３】図１のロングガードルを裏返した状態を示す背面説明図である。
【図４】本考案をハイウエストタイプのロングガードルに適用した場合のこれを裏返した状態を示す正面説明図である。
【図５】本考案をショートガードルに適用した場合の裏返した状態を示す正面説明図である。
【図６】本考案をハイウエストタイプのショートガードルに適用した場合の裏返した状態を示す正面説明図である。
【考案を実施するための形態】
【実施例１】
【００２２】
以下、本考案ガードルに関し、まずロングガードルを例に挙げて図により説明する。
【００２３】
図１〜３は、本考案をガードル上周縁部が腰のくびれ部分に来るようにしたレギュラータイプのロングガードルに適用した場合の、それぞれ正面説明図と、これを裏返した状態の正面説明図、同じくこれを裏返した状態の背面説明図である。
【００２４】
図中符号２，３は、腹部を覆うように左右両側が外向き円弧形に膨出形成されたメッシュ生地よりなる内外２枚の腹当て布で、該腹当て布２，３は縦方向（上下方向）にのみ伸縮性を有し、その左右両側縁部はスパンデックス等よりなる伸縮性の身生地１の腹部裏面に縫着４，４されている。
【００２５】
上記腹当て布２，３の下辺部２ａ，３ａはそれぞれ斜めに裁断され、互いに斜めに交差するようにし、身生地１に形成された股布５（内側には綿天竺等の肌に優しい生地が縫着されている）の正面上端部からは若干離すようして、身生地１には縫着することなく開放されている。
【００２６】
そして、ガードル上周縁部が腰のくびれ部分に来るように着用するレギュラータイプのガードルでは、身生地１上端縁のフロント部には所定長さだけ残して、それ以外の部分にはウエストテープ６を縫着し、このウエストテープ６が存在しない身生地１上端のフロント部は内側へ折返し、その身生地１の折返し端７に両腹当て布２，３の上縁を縫着する。
【００２７】
また、身生地１の臀部の二つの膨らみの下側部分から上記両腹当て布２，３の左右両側縁部に向って伸縮力の強いヒップアップ用の帯状のパワーネット生地８上下両辺を身生地１に縫着し、その両先端部は上記腹当て布２，３の左右両側縁部の中間部（又はその全長にわたり）の身生地１への縫着部４，４にそれぞれ縫着する（図１〜２参照）。
【００２８】
一方、身生地１の後側縦中心上端部からはそれぞれ所定幅の腹部押さえ用の帯状のパワーネット９，９を後方から前方へ向かってやや斜め下方に向って伸びてその上下を身生地に縫着すると共に、その両先端部は上記両腹当て布の左右両側縁部の中間部（又は全長にわたり）にかけて腹当て布２，３の左右両側縁部の身生地１への縫着部４に縫着する（図３参照）。
【００２９】
また、上記腹部押さえ用のパワーネット９，９両先端部と上記ヒップアップ用のパワーネット８，８両先端部とはそれぞれ互いに全部又は部分的に重合するようにし、これを着用したときには、上記二重の両腹当て布２．３の左右両側縁部を横方向へ引っ張るような力が生じることとなり、腹当て布２，３による腹部への押さえが充分強くなるのである。
【００３０】
なお、身生地１の後側縦中心上端部の腹部押さえ用のパワーネット９，９の開始端の外側には、前記腹当て布２，３と同素材の縦方向（上下方向）にのみ伸縮性を有するメッシュ生地の後側当て布１０を該パワーネット９，９と同幅で身生地１に横方向に所定長さ縫着するようにしてもよい（図３参照）。これにより、腹部押さえ用のパワーネット９，９の長さがこのメッシュ生地の当て布１０の長さ分だけ短くなるので、上記腹当て布２，３の腹部の押さえ力がそれだけ強くなる。
【実施例２】
【００３１】
図４は、本考案に係るガードルの上周縁が胸下まで来るようにしたハイウエストタイプのロングガードルに適用した他の実施例で、このガードルを裏返した状態の正面説明図を示している。
【００３２】
このハイウエストタイプのガードルの場合には、腰のくびれ部分より上方には所定の上下幅の延長パワーネット生地１１を胴周りを一周するように身生地１上周縁に縫着延長し、その外側には伸縮性のレース生地１２が縫着され、上方に延設された上記パワーネット１１上端内周縁にはウエストテープ６が縫着され、上記延長パワーネット１１下端縁は身生地１上周縁１ａに縫着すると共に、前記内外両腹当て布２，３の上端縁も身生地１上周縁に縫着する。
【００３３】
なお、上記腹当て布２，３の下辺部２ａ，３ａがそれぞれ互いに反対方向の斜めに裁断されて、互いに斜めに交差するようにし、身生地１に形成された股布５正面上端部からは若干離すようして、身生地１には縫着することなく開放されていることは、前記実施例１と同様であり、これにより、股布５正面上端部と腹当て布２，３の下辺部２ａ，３ａとの間は、身生地１が一枚だけであるので、股部のムレも解消される。
【００３４】
また、身生地１の臀部の二つの膨らみの下側部分から上記両腹当て布２，３の左右両側縁部に向ってヒップアップ用のパワーネット生地８上下両辺を身生地１に縫着し、その両先端部は後方から前方へ向かってやや斜め上方に向って伸び、上記腹当て布２，３の左右両側縁部の中間部（又はその全長にわたり）の身生地１への縫着部４，４にそれぞれ縫着し、一方、身生地１の後側縦中心上端部からはそれぞれ腹部押さえ用のパワーネット９，９を後方から前方へ向かってやや斜め下方に向って伸びてその上下を身生地に縫着すると共に、その両先端部は上記両腹当て布の左右両側縁部の中間部（又は全長にわたり）にかけて腹当て布２，３の左右両側縁部の身生地１への縫着部４に縫着し、腹部押さえ用のパワーネット９，９両先端部と上記ヒップアップ用のパワーネット８，８両先端部とはそれぞれ互いに全部又は部分的に重合するようにする。
【００３５】
なお、実施例１に示すように、身生地１の後側縦中心上端部の腹部押さえ用のパワーネット９，９の開始端の外側に、前記腹当て布２，３と同素材の縦方向（上下方向）にのみ伸縮性を有するメッシュ生地の後側当て布１０を該パワーネット９，９と同幅で身生地１に横方向に所定長さ縫着するようにしてもよい（図３参照）。
【実施例３】
【００３６】
図５は、本考案に係るガードルがいわゆるショートガードルの場合の他の実施例で、このショートガードルを裏返した状態の正面説明図を示している。
【００３７】
この場合には、２枚重ねの腹当て布２，３の上縁部は、身生地１上端縁のフロント部には所定長さだけ残して、それ以外の部分にはウエストテープ６を縫着し、このウエストテープ６が存在しない身生地１上端のフロント部は内側へ折返し、その身生地１の折返し端７に表側身生地１と共に縫着する点は、前記実施例１と同様である。
【００３８】
なお、腹当て布２，３の形状や身生地１への止着、ヒップアップ用のパワーネット生地８，８や腹部押さえ用のパワーネット生地９，９の縫着の仕方、腹当て布２，３下辺と股布５前側上端とが離間していること、あるいは身生地１の後側縦中心上端部の腹部押さえ用のパワーネット９，９の開始端の外側に所定幅のメッシュ生地の後側当て布１０を縫着してもよいこと等は、全て実施例１と同様である。
【実施例４】
【００３９】
図６は、本考案によるハイウエストタイプのショートガードルの場合の他の実施例で、このガードルを裏返した状態の正面説明図を示している。
【００４０】
この場合には、腰のくびれ部分より上方に所定の上下幅の延長パワーネット生地１１を胴周りを一周するように身生地１上周縁に縫着延長し、その外側には伸縮性のレース生地１２が縫着され、上方に延設された上記パワーネット１１上端内周縁にはウエストテープ６が縫着され、上記延長パワーネット１１下端縁は身生地１上周縁１ａに縫着すると共に、前記内外両腹当て布２，３の上端縁も身生地１上周縁に縫着する点は、前記実施例２と同様である。
【００４１】
また、腹当て布２，３の形状や身生地１への止着、ヒップアップ用のパワーネット生地８，８や腹部押さえ用のパワーネット生地９，９の縫着の仕方、腹当て布２，３下辺と股布５前側上端とが離間していること、あるいは身生地１の後側縦中心上端部の腹部押さえ用のパワーネット９，９の開始端の外側に所定幅のメッシュ生地の後側当て布１０を縫着してもよいこと等は、全て実施例１と同様である。
【符号の説明】
【００４２】
１−身生地
２−腹当て布
３−腹当て布
４−腹当て布左右両側の身生地への縫目線
５−股布
６−ウエストテープ
７−身生地上端のフロント折返し端部
８−ヒップアップ用のパワーネット生地
９−腹部押さえ用のパワーネット生地
１０−後側当て布
１１−延長パワーネット生地
１２−装飾用レース生地
【図１】
0003201359.tif 000003
【図２】
0003201359.tif 000004
【図３】
0003201359.tif 000005
【図４】
0003201359.tif 000006
【図５】
0003201359.tif 000007
【図６】
0003201359.tif 000008